(57)【要約】【課題】被写体が徐々に画面に現れる映像シーン等の映像データの符号化の際に、画質劣化を引き起こす要因を排除する。【解決手段】第１の符号化結果を使用する事前解析部にて、画面端のマクロブロックにおける特徴量と、そのマクロブロックより一つ分だけ画面の内側に存在するマクロブロックの特徴量とを比較し、その結果、画面端のマクロブロックの特徴量が、画面端より一つだけ画面の内側にあるマクロブロックの特徴量より劣化する側にあると判断できる場合は、画面端より一つだけ画面の内側にあるマクロブロックの特徴量に置き換えを行ってから、第２の符号化部で使用する事前解析データを計算する。【選択図】図１
2008236523.tif 000002
【特許請求の範囲】
【請求項１】
映像データの符号化をおこなう、映像圧縮符号化装置であって、
入力された映像データを遅延させる、映像データ遅延手段と、
映像データを符号化する、第１の符号化手段と、
前記第１の符号化手段により符号化された映像データを解析し、映像データの特徴量を、抽出する、特徴量抽出手段と、
画面端のマクロブロックの特徴量を、内側にあるマクロブロックの特徴量に置き換える、特徴量置き換え手段と、
前記映像データ遅延手段で遅延させた映像データと、前記特徴量置き換え手段において置き換えられたデータと、の同期をとる、データ同期手段と、
前記データ同期手段により、同期の取られたデータを用いて、映像データの符号化処理及び圧縮処理をする、第２の符号化手段と、
を備えることを特徴とする映像圧縮符号化装置。
【請求項２】
請求項１に記載の映像圧縮符号化装置であって、
前記特徴量置き換え手段は、画面端のマクロブロックのうち、左上、右上、右下、左下のマクロブロックでは、画面端から一つだけ画面内側斜め方向にあるマクロブロックの特徴量を参照し、画面端のマクロブロックのうち、左上、右上、右下、左下以外のマクロブロックでは、画面端から一つだけ画面内側にあるマクロブロックの特徴量を参照した結果、画面端の各マクロブロック特徴量よりも、対応する参照先の各マクロブロック特徴量が大きくなる場合は、画面端のマクロブロック特徴量を、参照先のマクロブロック特徴量に置き換えることにより、動作することを特徴とする映像圧縮符号化装置。
【請求項３】
請求項１に記載の映像圧縮符号化装置であって、
前記特徴量置き換え手段は、画面端のマクロブロックのうち、左上、右上、右下、左下のマクロブロックでは、画面端から一つだけ画面内側斜め方向にあるマクロブロックの特徴量を参照し、画面端のマクロブロックのうち、左上、右上、右下、左下以外のマクロブロックでは、画面端から一つだけ画面内側にあるマクロブロックの特徴量を参照した結果、画面端の各マクロブロック特徴量よりも、対応する参照先の各マクロブロック特徴量が小さくなる場合は、画面端のマクロブロック特徴量を、参照先のマクロブロック特徴量に置き換えることにより、動作することを特徴とする映像圧縮符号化装置。
【請求項４】
請求項１乃至３の何れか１項に記載の映像圧縮符号化装置であって、
前記特徴量置き換え手段においては、参照先のマクロブロック特徴量ではなく、参照先のマクロブロック特徴量に、変更可能な引数を乗じて得た値を、画面端のマクロブロック特徴量との大小比較の対象とすることを特徴とする映像圧縮符号化装置。
【請求項５】
請求項１乃至４の何れか１項に記載の映像圧縮符号化装置であって、
前記特徴量置き換え手段を動作することが不要であると判断した時点の映像データについては、前記置き換え手段を動作しないことを特徴とする映像圧縮符号化装置。
【請求項６】
映像データの符号化をおこなう、映像圧縮符号化方法であって、
入力された映像データを遅延させる、映像データ遅延ステップと、
映像データを符号化する、第１の符号化ステップと、
前記第１の符号化ステップにより符号化された映像データを解析し、映像データの特徴量を、抽出する、特徴量抽出ステップと、
画面端のマクロブロックの特徴量を、内側にあるマクロブロックの特徴量に置き換える、特徴量置き換えステップと、
前記映像データ遅延ステップで遅延させた映像データと、前記特徴量置き換えステップにおいて置き換えられたデータと、の同期をとる、データ同期ステップと、
前記データ同期ステップにより、同期の取られたデータを用いて、映像データの符号化処理及び圧縮処理をする、第２の符号化ステップと、
を備えることを特徴とする映像圧縮符号化方法。
【請求項７】
請求項６に記載の映像圧縮符号化方法であって、
前記特徴量置き換えステップは、画面端のマクロブロックのうち、左上、右上、右下、左下のマクロブロックでは、画面端から一つだけ画面内側斜め方向にあるマクロブロックの特徴量を参照し、画面端のマクロブロックのうち、左上、右上、右下、左下以外のマクロブロックでは、画面端から一つだけ画面内側にあるマクロブロックの特徴量を参照した結果、画面端の各マクロブロック特徴量よりも、対応する参照先の各マクロブロック特徴量が大きくなる場合は、画面端のマクロブロック特徴量を、参照先のマクロブロック特徴量に置き換えることにより、行うことを特徴とする映像圧縮符号化方法。
【請求項８】
請求項６に記載の映像圧縮符号化方法であって、
前記特徴量置き換えステップは、画面端のマクロブロックのうち、左上、右上、右下、左下のマクロブロックでは、画面端から一つだけ画面内側斜め方向にあるマクロブロックの特徴量を参照し、画面端のマクロブロックのうち、左上、右上、右下、左下以外のマクロブロックでは、画面端から一つだけ画面内側にあるマクロブロックの特徴量を参照した結果、画面端の各マクロブロック特徴量よりも、対応する参照先の各マクロブロック特徴量が小さくなる場合は、画面端のマクロブロック特徴量を、参照先のマクロブロック特徴量に置き換えることにより、行うことを特徴とする映像圧縮符号化方法。
【請求項９】
請求項６乃至８の何れか１項に記載の映像圧縮符号化方法であって、
前記特徴量置き換えステップにおいては、参照先のマクロブロック特徴量ではなく、参照先のマクロブロック特徴量に、変更可能な引数を乗じて得た値を、画面端のマクロブロック特徴量との大小比較の対象とすることを特徴とする映像圧縮符号化方法。
【請求項１０】
請求項６乃至９の何れか１項に記載の映像圧縮符号化方法であって、
前記特徴量置き換えステップを行うことが不要であると判断した時点の映像データについては、前記置き換えステップを行わないことを特徴とする映像圧縮符号化方法。
【請求項１１】
コンピュータを請求項１から５の何れか１項に記載の映像圧縮符号化装置として機能させることを特徴とするプログラム。
【発明の詳細な説明】
【技術分野】
【０００１】
本発明は映像データの２パス符号化に関し、より詳細には、被写体が徐々に画面に現れる映像シーン等の映像データの符号化の際に、画質劣化を引き起こす要因を排除することに関する。
【背景技術】
【０００２】
ＤＶＤのような蓄積メディアにおいては、符号化を行うに際して、２パス符号化方法が広く用いられている。
【０００３】
一方、地上デジタル放送に代表されるような、ビットレートが低い伝送レートを用いた映像配信等の、映像データの符号化といった用途においても、放送品質として要求される画質を維持する必要があるため、２パス符号化方法を用いる場合がある。
【０００４】
ここで、２パス符号化方法について説明する。２パス符号化方法は、２つの符号化部を備える装置を用いる。そしてまず、同一の映像シーケンスに対して、第１の符号化部により符号化を行い、その符号化結果から映像符号化における特徴量の事前解析を行う。
【０００５】
そして、第２の符号化部においては事前解析した結果の、映像符号化における画像ごとの複雑さの指標などの特徴量を用いて符号化処理を行うことにより映像圧縮符号化を実現する、といった方法である（例えば特許文献１又は特許文献２参照）。
【０００６】
なお、２パス符号化の代表的な手法として、事前解析部において、時間軸方向となるフレームごとの目標符号レートを決めるものと、空間方向となる画面内のビット配分をスライスごとやマクロブロックごとに適応的に調整することで画質改善を行うものがある。
【特許文献１】特開２００２−２３２８８２号公報
【特許文献２】特開２００７−０１３８６４号公報
【発明の開示】
【発明が解決しようとする課題】
【０００７】
前記の２パス符号化方式には、以下の点で問題があった。
【０００８】
従来の２パス符号化方式では、第１の符号化の結果が第２の符号化に影響を及ぼす。
【０００９】
この点、画質を良くする方向に影響を及ぼす場合は問題ないが、一部画質を悪くする方向に働いてしまう状態が存在するという問題があった。
【００１０】
具体的には、画面内で適応的にビット配分を調整することで画質改善を行う処理に対して説明する。
【００１１】
この場合に、画面がゆっくりとパンするような、被写体が徐々に画面に現れる映像のシーンでは、画面の中央部における特徴量に対して画面端部における特徴量が、画質改善を行うために画面内で適応的にビット配分を調整する処理と、相反する値をとる場合がある。
【００１２】
この状態で、事前解析部にて画面内で適応的にビット配分を調整した場合、本来は、画質を改善する方向に働くべきところが、反対に画質を劣化する方向に働いてしまうという問題がある。
【００１３】
そこで本発明は、画面がゆっくりとパンするような、被写体が徐々に画面に現れる映像シーン等の映像データの符号化の際に、２パス符号化方式を用いても、画質劣化を引き起こす要因を排除することが可能な、映像圧縮符号化装置、その方法及びそのプログラムを提供することを目的とする。
【課題を解決するための手段】
【００１４】
本発明によれば、映像データの符号化をおこなう、映像圧縮符号化装置であって、入力された映像データを遅延させる、映像データ遅延手段と、映像データを符号化する、第１の符号化手段と、前記第１の符号化手段により符号化された映像データを解析し、映像データの特徴量を、抽出する、特徴量抽出手段と、画面端のマクロブロックの特徴量を、内側にあるマクロブロックの特徴量に置き換える、特徴量置き換え手段と、前記映像データ遅延手段で遅延させた映像データと、前記特徴量置き換え手段において置き換えられたデータと、の同期をとる、データ同期手段と、前記データ同期手段により、同期の取られたデータを用いて、映像データの符号化処理及び圧縮処理をする、第２の符号化手段と、を備えることを特徴とする映像圧縮符号化装置が提供される。
【００１５】
上記の映像圧縮符号化装置において、前記前記特徴量置き換え手段は、画面端のマクロブロックのうち、左上、右上、右下、左下のマクロブロックでは、画面端から一つだけ画面内側斜め方向にあるマクロブロックの特徴量を参照し、画面端のマクロブロックのうち、左上、右上、右下、左下以外のマクロブロックでは、画面端から一つだけ画面内側にあるマクロブロックの特徴量を参照した結果、画面端の各マクロブロック特徴量よりも、対応する参照先の各マクロブロック特徴量が大きくなる場合は、画面端のマクロブロック特徴量を、参照先のマクロブロック特徴量に置き換えることにより、動作することを特徴とするようにしてもよい。
【００１６】
また、上記の映像圧縮符号化装置において、前記特徴量置き換え手段は、画面端のマクロブロックのうち、左上、右上、右下、左下のマクロブロックでは、画面端から一つだけ画面内側斜め方向にあるマクロブロックの特徴量を参照し、画面端のマクロブロックのうち、左上、右上、右下、左下以外のマクロブロックでは、画面端から一つだけ画面内側にあるマクロブロックの特徴量を参照した結果、画面端の各マクロブロック特徴量よりも、対応する参照先の各マクロブロック特徴量が小さくなる場合は、画面端のマクロブロック特徴量を、参照先のマクロブロック特徴量に置き換えることにより、動作することを特徴とするようにしてもよい。
【発明の効果】
【００１７】
本発明によれば、被写体が徐々に画面に現れる映像シーン等の映像データの符号化の際に、画質劣化を引き起こす要因を排除することが可能となる。
【発明を実施するための最良の形態】
【００１８】
次に、本発明の最良の形態について図面を用いて説明する。
【００１９】
［実施形態１］
まず、本発明の実施形態の基本的構成を図１に示す。
【００２０】
本発明の実施形態は、第１の符号化部１、メモリ２、事前解析部３、映像信号遅延部４、及び第２の符号化部５を備える。
【００２１】
次に、各部の動作を図１０のフローチャートを用いて、説明する。
【００２２】
まず、第１の符号化部１及び映像信号遅延部４に、映像入力データが入力される。
【００２３】
そして、映像信号遅延部４は、第１の符号化部１が第１の符号化を行い、更に事前解析部３が事前解析を行うまでの間、自らに入力された映像データを遅延させる（Ｓ１０）。
【００２４】
一方、第１の符号化部１は、自らに入力された映像入力データの符号化を行い、第１の符号化結果データ（図中、１ｓｔ  ｅｎｃ）として出力する（Ｓ１１）。
【００２５】
そして、出力された第１の符号化結果は、一旦メモリ２に蓄積される（Ｓ１２）。
【００２６】
次に、事前解析部３が、メモリ２に蓄積された第１の符号化結果データを読み込み、第２の符号化部５で使用するための、事前解析データ（図中、１ｓｔ  ｄａｔａ）を生成する（Ｓ１３）。
【００２７】
事前解析部３で生成された、事前解析データは、映像信号遅延部４にて遅延された映像データ（図中ｄｅｌａｙ  ｄａｔａ）と同期をとり、第２の符号化部５に入力される（Ｓ１４）。
【００２８】
そして、第２の符号化部５では、事前解析データと遅延された映像データとを用いて
符号化処理を行い、圧縮データ（図中２ｎｄ  ｅｎｃ）を生成する（Ｓ１５）。
【００２９】
次に、本実施形態における、フレーム単位の動作タイムチャートを図２に示す。ここで、図２の符号（ａ）、（ｂ）、（ｃ）、（ｄ）及び（ｅ）は、以下の意味である。
（ａ）映像入力は、第１の符号化部１に入力する映像入力を示したものである。
【００３０】
（ｂ）第１の符号化結果は、映像入力を第１の符号化部１が符号化した結果であり、
符合化の処理遅延時間だけ遅れたデータを示したものである。
【００３１】
（ｃ）事前解析データは、第１の符号化結果を事前解析した結果のデータを示したものである。
【００３２】
（ｄ）遅延した映像信号は、映像信号遅延部４にて事前解析データと同期をとった映像信号１を遅延したデータを示したものである。なお、（ｃ）と（ｂ）の対応する部分は同期が取られている。
【００３３】
（ｅ）圧縮データは、第２の符号化部５の符号化結果である。
【００３４】
次に図３を用いて、事前解析部３のマクロブロック特徴量の置き換え処理におけるマクロブロック参照の様子を示す。
【００３５】
図３では、横方向にマクロブロックがｍ個（０〜ｍ−１で示す）、縦方向にマクロブロックがｎ個（０〜ｎ−１で示す）で画面が構成されている状態を示している。
【００３６】
画面端のマクロブロックのうち、左上、右上、右下、左下以外は、画面端から一つだけ画面内側にあるマクロブロックの特徴量を参照する。
【００３７】
画面端のマクロブロックのうち、左上、右上、右下、左下は、画面端から一つだけ画面内側斜め方向にあるマクロブロックの特徴量を参照する。
【００３８】
この、上下左右角にあるマクロブロックは、斜め方向のマクロブロックを参照することで、上下左右斜めと、どの方向に画面が移動した場合でも、比較的特徴量の近いマクロブロックを参照出来ることとなる。
【００３９】
この参照の仕組みを使用して、マクロブロック特徴量の比較と、必要に応じて置き換え処理を行う。
【００４０】
次に、特徴量の比較動作を、図３で示されるマクロブロックの座標を参照して具体的に以下に示す。
【００４１】
なお、ここでは、画面端の参照元が参照先となる画面内側より特徴量が大きい状態であって、通常どおりに、特に置き換えを行わずに、画面内側にあるマクロブロックの特徴量を参照してしまっては、画質劣化を引き起こしてしまう場合について示す。
【００４２】
比較においては、パラメータｋでマージンを与える。パラメータｋ＝１の場合、マージンのない比較となる。
【００４３】
すなわち、画面端のマクロブロック特徴量が参照先となる画面端から一つ内側のマクロブロック特徴量より少しでも大きくなる場合は全て、画面端から一つだけ内側にあるマクロブロック特徴量に置き換わることになる。
【００４４】
しかし、通常は、多少の特徴量の違いでは、画像の主観評価で問題にならない場合が多い。よって、パラメータは、例えばｋ＝２などを指定するのが現実的である。
【００４５】
また、ｋは自由に変化させることができるパラメータとする。
【００４６】
ｋを自由に変化させることができるパラメータとすることにより、画像の劣化具合と、処理時間のバランスを、状況や用途に応じて変更することが可能となる。
【００４７】
まず、左右端を除く画面上端部の比較は、（ｘ，０）と（ｘ，１）との比較を行う（なお、これは、ｘが１〜ｍ−２の何れかの数値の場合の説明となる。以下、このような場合を、［ｘは１〜ｍ−２］と表記する。ｙ軸についても同様に表記する。）。
比較を行った結果、（ｘ，０）＞ｋ×（ｘ，１）の場合には（ｘ，０）＝（ｘ，１）と置き換える。
【００４８】
左右端を除く画面下端部の比較は、（ｘ，ｎ−１）と（ｘ，ｎ−２）［ｘは１〜ｍ−２］との比較を行う。
【００４９】
比較を行った結果、（ｘ，ｎ−１）＞ｋ×（ｘ，ｎ−２）の場合には（ｘ，ｎ−１）＝（ｘ，ｎ−２）と置き換える。
【００５０】
次に、上下端を除く画面左端部の比較は、（０，ｙ）と（１，ｙ）［ｙは１〜ｎ−２］との比較を行う。
【００５１】
比較を行った結果、（０，ｙ）＞ｋ×（１，ｙ）の場合には（０，ｙ）＝（１，ｙ）と置き換える。
【００５２】
また、上下端を除く画面右端部の比較は、（ｍ−１，ｙ）と（ｍ−２，ｙ）［ｙは１〜ｎ−２］との比較を行う。
【００５３】
比較を行った結果、（ｍ−１，ｙ）＞ｋ×（ｍ−２，ｙ）の場合には（ｍ−１，ｙ）＝（ｍ−２，ｙ）と置き換える。
更に、画面左上端部の比較は、（０，０）と（１，１）との比較を行う。
【００５４】
比較を行った結果、（０，０）＞ｋ×（１，１）の場合には（０，０）＝（１，１）と置き換える。
【００５５】
画面右上端部の比較は、（ｍ−１，０）と（ｍ−２，１）との比較を行う。
【００５６】
比較を行った結果、（ｍ−１，０）＞ｋ×（ｍ−２，１）の場合には（ｍ−１，０）＝（ｍ−２，１）と置き換える。
【００５７】
画面右下端部の比較は、（ｍ−１，ｎ−１）と（ｍ−２，ｎ−２）との比較を行う。
【００５８】
比較を行った結果、（ｍ−１，ｎ−１）＞ｋ×（ｍ−２，ｎ−２）の場合には（ｍ−１，ｎ−１）＝（ｍ−２，ｎ−２）と置き換える。
【００５９】
画面左下端部の比較は、（０，ｎ−１）と（１，ｎ−２）との比較を行う。
【００６０】
比較を行った結果、（０，ｎ−１）＞ｋ×（１，ｎ−２）の場合には（０，ｎ−１）＝（１，ｎ−２）と置き換える。
【００６１】
上記の処理を行うことにより、画面端のマクロブロック特徴量が参照先となる画面端から一つ内側のマクロブロック特徴量にパラメータｋの値を乗じた数値より大きくなる場合は、画面端から一つだけ内側にあるマクロブロック特徴量に置き換わることになる。
【００６２】
なお、画面端のマクロブロックのうち、左上、右上、右下、左下は、画面端から一つだけ画面内側斜め方向にあるマクロブロックの特徴量を参照し、置き換えを行うか否か判断する。
【００６３】
［実施形態２］
実施形態１のように、上記画面端の参照元が参照先となる画面内側より特徴量が大きい状態であって、通常どおり画面内側にあるマクロブロックの特徴量を参照してしまっては、画質劣化を引き起こしてしまう場合ではなく、逆に、画面端の参照元が、参照先となる画面内側より特徴量が小さい状態で画質劣化を引き起こす場合にも本発明を適応することができる。
【００６４】
画面端の参照元が、参照先となる画面内側より特徴量が小さい場合は、置き換えにおける比較式の不等号’＞’を’＜’に置き換えることで対応できる。
【００６５】
なお、本発明における映像圧縮符号化装置は、ハードウェア、ソフトウェア又はこれらの組合せにより実現することができる。
【００６６】
次に、本発明における効果の説明を、本実施形態を用いる前と、本実施形態を用いた後を比較しながら、図４から図９を用いて行う。
【００６７】
図４は、被写体が左上から右下に向けて移動する動画像である。
【００６８】
ここで、被写体は特徴が均一なものであるとする。
【００６９】
動画像を圧縮する場合においては、一般に被写体が移動する過程をベクトルと呼ばれる指標で表すことで効率のよい圧縮を行うことができる。
【００７０】
そして、この動画像を符号化する場合は、図４の被写体のａの部分はａ’の部分から移動してきたとみなすことが出来るため、符号化効率のよい部分といえ、この特徴量は符号化が容易であるといえる。
【００７１】
一方、図４の被写体のｂの部分、すなわち画面端にあたる部分では、移動元となるｂ’の部分はまだ画面上に存在していないため、ベクトルを用いて表すことができない。
【００７２】
つまり、前記ａ’の部分と比べ符号化効率がよくない部分となり、この部分の特徴量は符号化が難しいといえる。
【００７３】
そのため、第１の符号化部１の、第１の符号化結果を事前解析部３で解析すると、図４のｂにあたる部分は符号化が難しいという結果が出てくる。
【００７４】
この解析後の状態について表したものが図５である。
【００７５】
図５では、被写体において色の薄いａの部分は符号化が易しいと、事前解析部３にて判断された状態を表している。
【００７６】
また、図５で示される被写体において、色の濃いｂの部分は符号化が難しいと、事前解析部３にて判断された状態を表している。
【００７７】
そして、実際に被写体のｂの部分はａの部分と比べて特徴量が異なる。
【００７８】
この事前解析部３の結果をこのまま用いて第２の符号化部５にて符号化を行った場合、ａの部分よりもｂの部分の特徴量で劣化を引き起こすアルゴリズムで符号化を行ったときには、本来はａとｂの部分は同等程度の画質であるべきところ、画面端のみが劣化をしてしまう。
【００７９】
そこで、本発明の置き換え処理を用いて必要に応じて置き換えを行う。
【００８０】
本発明による置き換え処理を行ったあとの状態を図６に示す。
【００８１】
図６は、被写体のｂの部分の特徴量がａの部分の特徴量に置き換わった状態である。被写体のｂとａの部分で特徴量が同等となっている。
【００８２】
よって、この状態で第２の符号化部５にて符号化を行うことにより、画面端がその内側のマクロブロックと同等の、第２の符号化部５の結果となる圧縮データを得ることができ、２パス符号化方法における劣化を解消することができる。
【００８３】
図７は、移動はあるが被写体において特徴量が大きく変わらない場合を示した一例である。
【００８４】
画面の中央部分のみで被写体が移動するシーンにおいては、被写体が画面端にかかる場合のように特徴量に大きな違いが現れないため、特に実施形態を用いることなく、設計通りの性能で符号化が実施される。
【００８５】
図８に、被写体が、画面端のｂの部分は映像に変化がなく特徴量で見れば符号化が易しいと判断され、画面中央部のａの部分は映像自体が大きく変化し特徴量では符号化が難しいと判断される場合を示す。
【００８６】
この場合は、図９に示すように、画面端のｂの部分における符号化が易しいと判断され、ａの部分における符号化が難しいと判断されるため、画面端のｂの部分では置き換えを行わず符号化に対して悪影響を与えないこととなる。
【００８７】
以上より、画面がゆっくりとパンするような、被写体が徐々に画面に現れる映像シーン等の映像データの符号化の際に、２パス符号化方式を用いても、画質劣化を引き起こす要因を排除することが可能となる。
【００８８】
また、画面の中央部分のみで被写体が移動するシーンにおいては、被写体が画面端にかかる場合のように特徴量に大きな違いが現れないような場合には、本実施形態による置き換え処理を行わないと判断することにより、処理量の削減を行うことができる。
【産業上の利用可能性】
【００８９】
本発明は、ＤＶＤのような蓄積メディアにおける符号化や、地上デジタル放送に代表されるような、ビットレートが低い伝送レートを用いた映像配信等の映像データの符号化を行うに際して、２パス符号化方法を用いる際に、画質劣化を引き起こす要因を排除する、といった用途に利用することができる。
【図面の簡単な説明】
【００９０】
【図１】本発明の基本的構成を表す図である。
【図２】本発明における、映像データのフレーム単位の変化を表すタイムチャートである。
【図３】本発明における事前解析部の、マクロブロック特徴量の置き換え処理におけるマクロブロック参照の様子を表す図である。
【図４】本発明における実施形態を説明するための、被写体が左上から右下に向けて移動する動画像である場合を表す概念図である。
【図５】図４で示す映像データに対して、第１の符号化を行った結果を表す概念図である。
【図６】被写体の特徴量が置き換わった状態を表す概念図である。
【図７】被写体において特徴量が大きく変わらない場合を表す概念図である。
【図８】被写体の、画面端の部分の映像に変化がない場合を表す概念図である。
【図９】被写体の特徴量が置き換わった状態を表す概念図である。
【図１０】本発明の動作を表すフローチャートである。
【符号の説明】
【００９１】
１  符号化部
２  メモリ
３  事前解析部
４  映像信号遅延部
５  第２の符号化部
【図１】
2008236523.tif 000003
【図２】
2008236523.tif 000004
【図３】
2008236523.tif 000005
【図４】
2008236523.tif 000006
【図５】
2008236523.tif 000007
【図６】
2008236523.tif 000008
【図７】
2008236523.tif 000009
【図８】
2008236523.tif 000010
【図９】
2008236523.tif 000011
【図１０】
2008236523.tif 000012